(57)【特許請求の範囲】
【請求項１】
入力された映像データを第１の圧縮率で圧縮して第１の符号化データを出力する第１のデータ処理手段と、
上記入力された映像データを上記第１の圧縮率よりも高い圧縮率で圧縮して第２の符号化データを出力する第２のデータ処理手段と、
少なくとも上記第１のデータ処理手段から出力された上記第１の符号化データを記憶媒体に記憶する記憶手段と、
上記記憶手段による上記第１の符号化データの上記記憶媒体への記憶と並行して、上記第２のデータ処理手段から出力された上記第２の符号化データを、外部の編集装置に出力する送信手段と、
少なくとも前記外部の編集装置から入力された上記第２の符号化データに基づいて生成された編集リストを受信する受信手段とを有し、
上記受信手段で受信した上記編集リストを上記記憶手段に出力して、上記記憶媒体に記憶する
映像データ記録装置。
【請求項２】
請求項１記載の映像データ記録装置において、
上記受信手段は、上記編集リストとともに、上記第２の符号化データに付随したデータを受信する
映像データ記録装置。
【請求項３】
請求項１記載の映像データ記録装置において、
上記送信手段は、上記第２の符号化データとともに、上記第２の符号化データに付随したデータを送信する
映像データ記録装置。
【請求項４】
請求項２記載の映像データ記録装置において、
上記第２の符号化データに付随したデータは、スクリプトデータである
映像データ記録装置。
【請求項５】
請求項１記載の映像データ記録装置において、
上記記憶媒体は、ランダムアクセス可能な記録媒体である
映像データ記録装置。
【請求項６】
入力された映像データを第１の圧縮率で圧縮して第１の符号化データを出力するとともに、上記入力された映像データを第１の圧縮率よりも高い第２の圧縮率で圧縮して第２の符号化データを出力する第１のステップと、
少なくとも上記第１の符号化データを記憶媒体に記憶する第２のステップと、
上記第１の符号化データの上記記憶媒体への記憶と並行して、上記第２の符号化データを外部の編集装置に出力する第３のステップと、
少なくとも、前記外部の編集装置から入力された上記第２の符号化データに基づいて生成された編集リストを受信する第４のステップと、
上記第４のステップで受信した編集リストを上記記憶媒体に記憶する第５のステップとを有する
映像データ記録方法。
【請求項７】
請求項６記載の映像データ記録方法において、
上記第４のステップは、さらに、上記編集リストとともに、上記第２の符号化データに付随したデータを受信する
映像データ記録方法。
【請求項８】
請求項６記載の映像データ記録方法において、
上記第３のステップは、さらに、上記第２の符号化データとともに、上記第２の符号化データに付随したデータを送信する
映像データ記録方法。
【請求項９】
請求項７記載の映像データ記録方法において、
上記第２の符号化データに付随したデータは、スクリプトデータである
映像データ記録方法。
【請求項１０】
請求項６記載の映像データ記録方法において、
上記記憶媒体は、ランダムアクセス可能な記録媒体である
映像データ記録方法。
【発明の詳細な説明】
【０００１】
【技術分野】
本発明は、取材現場で映像を撮影し、該撮影した素材をランダムアクセス可能な記録媒体に記録する映像データ記録装置および映像データ記録方法に関する。
【０００２】
【背景技術】
従来、取材現場において、音声とともに撮影した映像を記録する映像記録装置では、磁気テープなどのビデオテープに音声・映像を記録していた。この場合、音声・映像が記録されたビデオテープは、例えば、編集機材が設置されている放送局などに持ち込まれ、そこで素材（音声・映像データ）を所定の放送時間に収めるように編集したり、スクリプトなどの付随したテキストデータを作成したりシーン切り替えのための画像処理を施したりなどの編集が行われる。該編集内容は、編集リスト（ＥＤＬ：Ｅｄｉｔ  Ｄｅｃｉｓｉｏｎ  Ｌｉｓｔ）として作成される。編集後、該編集リストに従って、素材が放送されることになる。
【０００３】
【発明が解決しようとする課題】
ところで、従来技術による映像記録装置では、素材テープを放送局に持ち込まなければならず、取材から編集、放送までに時間がかかるという問題があった。また、上記編集作業において、元のビデオテープ（素材テープ）の素材を、作業用のビデオテープに複製（ダビング）し、該作業用のビデオテープ（作業用テープ）を用いて編集リストを作成していたため、素材の管理、ハンドリングが煩雑になるという問題があった。
【０００４】
また、近年、素材テープに記録されている素材をハードディスク装置などのランダムアクセスが可能な記録媒体に記憶し、該記憶媒体上で素材を編集するノンリニア編集装置が用いられている。この場合、編集作業自体は、ビデオテープを用いた編集作業に比べ、より簡単に、かつ短時間で行うことができる。しかしながら、素材テープを放送局に持ち込むことには変わりなく、また、素材テープの素材を記憶媒体へ転送する必要もあり、上述した技術と同様に、取材から編集、放送までに時間がかかるという問題があった。
【０００５】
そこで本発明は、取材から編集または放送までの時間を短縮することができ、また、素材の管理、ハンドリングを簡素化することができる映像データ記録装置および映像データ記録方法を提供することを目的とする。
【０００６】
【課題を解決するための手段】
上記目的達成のため、本発明による映像データ記録装置は、入力された映像データを第１の圧縮率で圧縮して第１の符号化データを出力する第１のデータ処理手段と、上記入力された映像データを上記第１の圧縮率よりも高い圧縮率で圧縮して第２の符号化データを出力する第２のデータ処理手段と、少なくとも上記第１のデータ処理手段から出力された上記第１の符号化データを記憶媒体に記憶する記憶手段と、上記記憶手段による上記第１の符号化データの上記記憶媒体への記憶と並行して、上記第２のデータ処理手段から出力された上記第２の符号化データを外部の編集装置に出力する送信手段と、少なくとも外部の編集装置から入力された上記第２の符号化データに基づく編集リストを受信する受信手段とを有し、上記受信手段で受信した上記編集リストを上記記憶手段に出力して、上記記憶媒体に記憶するものである。
【０００７】
また、本発明による映像データ記録方法は、入力された映像データを第１の圧縮率で圧縮して第１の符号化データを出力するとともに、上記入力された映像データを第１の圧縮率よりも高い第２の圧縮率で圧縮して第２の符号化データを出力する第１のステップと、少なくとも上記第１の符号化データを記憶媒体に記憶する第２のステップと、上記第１の符号化データの上記記憶媒体への記憶と並行して、上記第２の符号化データを外部の編集装置に出力する第３のステップと、少なくとも、外部の編集装置から入力された上記第２の符号化データに基づく編集リストを受信する第４のステップと、上記第４のステップで受信した編集リストを上記記憶媒体に記憶する第５のステップとを有するものである。
【０００８】
この発明では、第１のデータ処理手段により、所定のビデオ信号を圧縮して第１の符号化データを生成するとともに、第２のデータ処理手段により、上記第１の符号化データに比べて、データ量が小さくなるように、上記ビデオ信号を圧縮して第２の符号化データを生成する。そして、少なくとも、上記第１のデータ処理手段により生成された第１の符号化データを記憶媒体に記憶する。このとき、伝送手段は、上記第２のデータ処理手段により生成された第２の符号化データを、上記第１の符号化データの上記記憶媒体への記憶と並行して、当該装置と別体の編集装置に伝送する。したがって、収録と編集とがほぼ並行して行うことができ、取材から編集または放送までの時間を短縮することが可能となる。また、上記編集装置において編集された編集内容を示す編集リストを受信手段により受信し、該編集リストを上記記憶媒体または、上記記憶媒体とは異なる第２の記憶媒体に記憶するようにしたので、素材の管理、ハンドリングを簡素化することが可能となる。
【０００９】
【発明を実施するための最良の形態】
発明を実施するための最良の形態  以下、本発明の実施の形態を、図面を参照して説明する。
Ａ．実施形態の構成
図１は、本発明の実施形態による映像記録装置の記録系の構成を示すブロック図である。図において、エンコーダ１Ａは、図示しないカメラユニットからのデジタルビデオ信号ＤＶＳを、ＭＰＥＧ（Ｍｏｖｉｎｇ  Ｐｉｃｔｕｒｅ  Ｅｘｐｅｒｔｓ  Ｇｒｏｕｐ）に規定のフォーマットにより、遠隔地の編集装置などと無線または有線などでストレスなく送受信可能なデータ量となるように低解像度で順次圧縮し、低解像度の符号化データＤＶＡとして制御部２および通信部６に供給する。また、エンコーダ１Ａは、図示しないマイクロフォンにより取得され、低サンプリングレートでサンプリングされた低音質のデジタルオーディオ信号ＤＡＳ１を圧縮し、低音質のオーディオデータＤＡＡとして制御部２および通信部６に供給する。
【０００９】
次に、エンコーダ１Ｂは、上記エンコーダ１Ａと同様に、上記デジタルビデオ信号ＤＶＳをＭＰＥＧに規定のフォーマットにより、エンコーダ１Ａに比べ、放送に使用可能な高解像度で順次圧縮し、高解像度の符号化データＤＶＢとして制御部２に供給するとともに、高サンプリングレートでサンプリングされた、高音質のデジタルオーディオ信号ＤＡＳ２を圧縮し、高音質のオーディオデータＤＡＢとして制御部２に供給するようになっている。
【００１０】
制御部２は、低解像度の符号化データＤＶＡおよび低音質のオーディオデータＤＡＡと、高解像度の符号化データＤＶＢおよび高音質のオーディオデータＤＡＢとを時分割で書き込み・読み出し回路３へ供給する。また、制御部２は、書き込み・読み出し回路３からの低解像度の符号化データＤＶＡおよび低音質のオーディオデータＤＡＡ、または高解像度の符号化データＤＶＢおよび高音質のオーディオデータＤＡＢをデコーダ５へ供給するとともに、低解像度の符号化データＤＶＡおよび低音質のオーディオデータＤＡＡを、バッファ９を介して通信部６に供給する。
【００１１】
書き込み・読み出し回路３は、上記時分割で供給される低解像度の符号化データＤＶＡおよび低音質のオーディオデータＤＡＡと、高解像度の符号化データＤＶＢおよび高音質のオーディオデータＤＡＢとを順次記憶媒体４に記憶する。また、書き込み・読み出し回路３は、記憶媒体４に記録された低解像度の符号化データＤＶＡおよび低音質のオーディオデータＤＡＡ、または高解像度の符号化データＤＶＢおよび高音質のオーディオデータＤＡＢを読み出し、制御部２へ供給する。
【００１２】
記憶媒体４は、ランダムアクセスが可能な大容量記憶媒体からなり、複数の素材を記録することが可能となっている。本実施形態では、記憶媒体として光ディスクを用いているが、これに限らず、小型化、大容量化が可能であれば、ハードディスク装置などの磁気記録媒体を用いてもよい。
【００１３】
次に、デコーダ５は、制御部２からの低解像度の符号化データＤＶＡおよび低音質のオーディオデータＤＡＡ、または高解像度の符号化データＤＶＢおよび高音質のオーディオデータＤＡＢを伸長し、図示しない外部端子やビューファインダへ送出する。
【００１４】
通信部６は、送信部７および受信部８から構成されている。送信部７は、上記制御部２からバッファ９を介して供給される低解像度の符号化データＤＶＡおよび低音質のオーディオデータＤＡＡを、後述する他のコンピュータや放送局に直接、あるいは通信衛星を介して放送局に送信する。なお、バッファ９は、送信部７の伝送速度を合わせて低解像度の符号化データＤＶＡおよび低音質のオーディオデータＤＡＡを送出するためのものである。編集機材あるいは編集手段（ソフトウェアを含む）が備えられた他のコンピュータや放送局では、上記低解像度の符号化データＤＶＡおよび低音質のオーディオデータＤＡＡを用いて、素材（音声・映像データ）を所定の放送時間に収めるように編集したり、スクリプトなどの付随したテキストデータを作成したり、シーン切り替えのための画像処理を施したりなどの編集を行う。該編集内容は、編集リストとして、再び、当該映像撮影装置へ送信される。ここで、送信部７から伝送されるデータには、さらに撮影日時や撮影者等の映像、音声データに付随するメタデータを伝送することもできる。編集時に、このメタデータの内容をもとに編集作業の効率化を図るためである。
【００１５】
受信部８は、他のコンピュータや放送局から送信される、低解像度の符号化データＤＶＡおよび低音質のオーディオデータＤＡＡに対する編集リストを受信し、制御部２へ供給する。なお、通信部６は、双方向のデータ伝送が可能であれば、ＰＨＳ（Ｐｅｒｓｏｎａｌ  Ｈａｎｄｙｐｈｏｎｅ  Ｓｙｓｔｅｍ）や携帯電話で用いられる無線回線、既に何らかの通信システムで使用されている以外の帯域における無線、あるいは有線を用いてデータを伝送するものであればよい。なお、アナログ回線を用いる場合には、デジタル／アナログ変換もしくはアナログ／デジタル変換を行うモデムを備えるものとする。上記編集リストは、制御部２、書き込み・読み出し回路３を介して記憶媒体４に記憶される。また、受信部８は、上記編集リストに加え、上述したメタデータ、例えば編集した日時（フレーム単位まで）や、編集者、報道日時等のデータを他のコンピュータや放送局から受信することができる。
【００１６】
Ｂ．実施形態の動作
次に、上述した実施形態による映像撮影装置の動作について説明する。ここで、図２は、本実施形態による映像撮影装置が用いられる放送システムの略構成を示す模式図である。エンコーダ１Ａにおいては、図示しないカメラユニットで撮像され、デジタルデータに変換されたデジタルビデオ信号ＤＶＳが、低解像度の符号化データＤＶＡに圧縮され、また、図示しないマイクロフォンにより取得され、低サンプリングレートでサンプリングされた低音質のデジタルオーディオ信号ＤＡＳ１が、低音質のオーディオデータＤＡＡに圧縮され、それぞれ制御部２へ供給される。また、エンコーダ１Ｂにおいては、上記デジタルビデオ信号ＤＶＳが、高解像度の符号化データＤＶＢに圧縮され、高サンプリングレートでサンプリングされた高音質のデジタルオーディオ信号ＤＡＳ２が、高音質のオーディオデータＤＡＢに圧縮され、それぞれ制御部２へ供給される。低解像度の符号化データＤＶＡおよび低音質のオーディオデータＤＡＡと、高解像度の符号化データＤＶＢおよび高音質のオーディオデータＤＡＢとは、制御部２によって時分割で書き込み・読み出し回路３へ供給され、該書き込み・読み出し回路３によって記憶媒体４に記憶される。
【００１７】
また、低解像度の符号化データＤＶＡおよび低音質のオーディオデータＤＡＡは、上記記憶媒体４への記憶と並行して、バッファ９を介して通信部６の送信部７にも供給される。送信部７では、低解像度の符号化データＤＶＡおよび低音質のオーディオデータＤＡＡを伝送速度に応じてバッファ９から読み出して変調した後、例えば、通信衛星１１を介して放送局１２へ送信する。なお、低解像度の符号化データＤＶＡおよび低音質のオーディオデータＤＡＡは、収録に並行して送信される以外に、収録終了後、オペレータの操作に応じて、書き込み・読み出し回路３によって記憶媒体４から読み出され、通信部６の送信部７によって送信されるようにしてもよい。
【００１８】
放送局１２では、上記映像記録装置１０から送信された低解像度の符号化データＤＶＡおよび低音質のオーディオデータＤＡＡが受信され、編集装置１３に記憶される。そして、編集装置１３において、素材（音声・映像データ）を所定の放送時間に収めるように編集したり、シーン切り替えのための画像処理を施したり、スクリプトなどの付随したテキストデータを作成したりなどの編集が行われる。該編集内容は、上記テキストデータも含めて編集リストとして、再び、通信衛星１１を介して映像記録装置１０へ送信される。また、編集後の低解像の符号化データＤＶＡまたは／および低音質のオーディオデータＤＡＡは、番組紹介などを目的とした、インターネット上のウェブページに用いるために放送局１２から即時アップロードされてもよい。
【００１９】
なお、低解像度の符号化データＤＶＡおよび低音質のオーディオデータＤＡＡの送信先として、例えば、編集機材の近傍にあって、プロデューサなどが収録状況を確認しながら編集することが可能な編集機能を有するコンピュータ１４に送信してもよい。この場合、該コンピュータ１４において編集作業が行われる。そして、編集内容は、編集リストとして、該コンピュータ１４から再び映像記録装置１０へ送信される。
【００２０】
映像記録装置１０では、通信部６の受信部８により上記編集リストが受信され、制御部２、書き込み・読み出し回路３を介して記憶媒体４に記憶される。該記憶媒体４は、放送局１２に持ち込まれた後、高解像度の符号化データＤＶＢおよび高音質のオーディオデータＤＡＢが読み出されて復号され、記憶された編集リストに従って放送される。
【００２１】
なお、低解像度の符号化データＤＶＡおよび低音質のオーディオデータＤＡＡと、高解像度の符号化データＤＶＢおよび高音質のオーディオデータＤＡＢとは、同一のメディアに記憶する以外に、一方（例えば高解像度の符号化データＤＶＢおよび高音質のオーディオデータＤＡＢ）を光ディスクなどの記憶媒体に記憶し、他方（例えば低解像度の符号化データＤＶＡおよび低音質のオーディオデータＤＡＡ）を半導体メモリなどの別メディアに記憶するようにしてもよい。
【００２２】
次に映像記録装置の制御部２が行う処理について図３を参照して説明する。
図３は、制御部２が行う上述した処理の一連のフローチャートを示す。
まずステップＳ１００では、エンコーダ１Ａ，１Ｂから出力された高解像度の符号化データＤＶＡ、ＤＡＡと、低解像度の符号化データＤＶＢ、ＤＡＢとが入力される。
次いでステップＳ１０１において、ステップＳ１００で入力された高解像度の符号化データＤＶＡ、ＤＡＡと低解像度の符号化データＤＶＢ、ＤＡＢとを時分割で書き込み・読み出し回路３に出力する。書き込み・読み出し回路３に出力された２つの符号化データＤＶＡ、ＤＡＡ、ＤＶＢ、ＤＡＢは記憶媒体４に記憶される。
【００２３】
次いで処理はステップＳ１０２に移り、ステップＳ１００で入力された符号化データのうち低解像度の符号化データＤＶＢ、ＤＡＢとをバッファ９に出力する。これは、送信部７を介して外部の編集装置１４に出力させるためである。
編集装置１４にて低解像度の符号化データＤＶＢ、ＤＡＢとが編集された後、編集結果を示すＥＤＬが受信部８に入力され、ステップＳ１０３にて制御部２に受信部８からＥＤＬが入力されたか否か判断される。
【００２４】
制御部２は、受信部８よりＥＤＬが入力されるまでステップＳ１０３を繰り返す。
ＥＤＬが受信部８より入力されたとき（ステップＳ１０３でＹＥＳのとき）、処理はステップＳ１０４に移り、受信したＥＤＬを書き込み・読み出し回路３に出力する。出力されたＥＬＤは、書き込み・読み出し回路３を介して記憶媒体４に記憶され処理が終了する。
【００２５】
【発明の効果】
上述した実施形態によれば、収録とほぼ並行して編集作業を行うことができるので、収録から編集済みの素材を得るまでの時間を短縮することができる。また、低解像度の符号化データＤＶＡおよび低音質のオーディオデータＤＡＡに基づいて、スクリプトの作成やインターネットのウェブページへアップロードすることが可能となるので、速報配信を実現することができる。また、記憶媒体４がノンリニアデバイスであるので、伝送には、非同期公衆回線やコンピュータネットワークなどの安価な既存の通信回線網を用いることができ、低コストで実現することができる。また、１つの記憶媒体４に、放送に用いられる高解像度の素材、編集リスト、ならびにスクリプトや素材に関する各種情報を記憶するので、一括管理することができ、素材の管理、ハンドリングを簡素化することができる。さらに、編集に用いられる素材は、低解像のデータであるので、狭い帯域幅の回線しかない場合でも、高速転送することができる。
【００２６】
【産業上の利用の可能性】
収録とほぼ並行して編集作業を行う映像記録装置に利用することができる。また、編集済みの素材を用いてスクリプトの作成やインターネットのウェブページへアップロードすることができる。また、伝送には、非同期公衆回線やコンピュータネットワークなどの通信回線網を用いることができる。
【００２７】
【図面の簡単な説明】
【図１】  本発明の実施形態による映像記録装置の記録系の構成を示すブロック図である。
【図２】  本実施形態による映像撮影装置が用いられる放送システムの略構成を示す模式図である。
【図３】  本実施の形態による映像記録装置の制御部２が行う処理のフローチャートである。
【００２９】
【符号の説明】
１Ａ…エンコーダ（第２のデータ処理手段）、１Ｂ…エンコーダ（第１のデータ処理手段）、２…制御部、３…書き込み・読み出し回路、４…記憶媒体、５…デコーダ、６…通信部、７…送信部（伝送手段）、８…受信部（伝送手段）、９…バッファ
【図１】
0005148797.tif 000002
【図２】
0005148797.tif 000003
【図３】
0005148797.tif 000004
0005148797.tif 000005